(57)【要約】【課題】ＶＴ回線をＳＴＳ回線へバンドルすることなく自由に回線設定し、障害発生による誤回線接続を防止する。【解決手段】複数の光伝送装置をリング状に接続して構成される双方向線路切替えリングネットワークにおいて、送信側ノードにある光伝送装置は、各低次群回線に送信側ノードＩＤを付して送信し、受信側ノードにある光伝送装置は、予め設定されているの送信側ノードＩＤの期待値と照合し、受信された送信側ノードＩＤを比較し、不一致の場合はアラーム指示信号を挿入して、障害発生時の誤接続を防止する。【選択図】図８
2004282362.tif 000002
【特許請求の範囲】
【請求項１】
複数の光伝送装置をリング状に接続して構成される双方向線路切替えリングネットワークにおいて、
送信側ノードにある光伝送装置は、各低次群回線に送信側ノードＩＤを付して送信し、
受信側ノードにある光伝送装置は、予め設定されている送信側ノードＩＤの期待値と受信された送信側ノードＩＤを照合し、不一致の場合はアラーム指示信号を挿入して、障害発生時の誤接続を防止する
ことを特徴とする双方向線路切替えリングネットワーク。
【請求項２】
請求項１において、
前記送信側ノードＩＤは、Ｖ３バイトを使用して送信されることを特徴とする双方向線路切替えリングネットワーク。
【請求項３】
請求項２において、
前記Ｖ３バイトへの送信側ノードＩＤの挿入、期待値との照合及び、スケルチ機能を設定により無効化可能とする双方向線路切替えリングネットワーク。
【請求項４】
請求項２において、
前記Ｖ３バイトを３フレーム分使用して、各ＶＴ回線に送信側ノードＩＤと、回線ＩＤを付加し、通過局におけるＶＴ回線のタイムスロット置き換え（ＴＳ
Ｉ）を可能とする双方向線路切替えリングネットワーク。
【請求項５】
請求項４において、
Ｈ４バイトの１〜６ビットをフラグとして使用することにより、通過局でタイムスロット置き換え（ＴＳＩ）を可能とする双方向線路切替えリングネットワ
ーク。
【発明の詳細な説明】
【０００１】
【発明の属する技術分野】
本発明は、複数の光伝送装置をリング状に接続して構成される双方向線路切替えリング（ＢＬＳＲ：Ｂｉｄｉｒｅｃｔｉｏｎａｌ  Ｌｉｎｅ  Ｓｗｉｃｈｅｄ  Ｒｉｎｇ）ネットワークに関し、特に、同期光ネットワーク（ＳＯＮＥＴ：ＳｙｎｃｈｒｏｎｏｕｓＯｐｔｉｃａｌ  Ｎｅｔｗｏｒｋ）における双方向線路切替えリングにおいて、ＶＴレベルの回線とＳＴＳレベルの回線の混在を実現するシステムに関する。
【０００２】
【従来の技術】
近年のディジタル光通信において、伝送容量の増大に伴う回線利用率の向上と共に、回線断等の障害発生時における回線の救済が求められている。かかる要求を実現する手法として上記のＢＬＳＲが用いられている。現在、主に幹線系ネットワークを対象とした高次群側のＳＴＳ（Ｓｙｎｃｈｒｏｎｏｕｓ  Ｔｒａｎｓｐｏｒｔ  Ｓｉｇｎａｌ）レベル（５１．８Ｍｂｐｓ〜）でのＢＬＳＲがサポートされているが、今後は加入者系を対象とした低次群側のＶＴ（Ｖｉｒｔｕａｌ  Ｔｒｉｂｕｔａｒｙ）レベル（１．５Ｍｂｐｓ〜）でのＢＬＳＲをサポートする必要がある。
【０００３】
従来のＳＴＳレベルでのＢＬＳＲネットワークでは、回線救済時の誤接続を防止するため、誤接続の発生した回線にパスアラーム信号（ＡＩＳ：Ａｌａｒｍ  Ｉｎｄｉｃａｔｉｏｎ  Ｓｉｇｎａｌ）を挿入する。これをスケルチ動作という。
【０００４】
従来のＢＬＳＲネットワークでは、スケルチ動作のためにスケルチテーブルを用いている。即ち、図１に示すスケルチテーブル（Ｓｑｕｅｌｃｈ  Ｔａｂｌｅ）を、オーバーヘッドバイトに乗せてネットワーク内の各ノードに転送する。これにより、各ノードは各回線（チャネルＣｈ）の送信元ノード（Ｓｏｕｒｃｅ  Ｎｏｄｅ）及び送信先ノード（Ｄｅｓｔｉｎａｔｉｏｎ  Ｎｏｄｅ）を認識することが出来る。
【０００５】
図１において、Ｓは送信元ノード（Ｓｏｕｒｃｅ  Ｎｏｄｅ）ＩＤ，Ｄは送信先ノード（Ｄｅｓｔｉｎａｔｉｏｎ  Ｎｏｄｅ）ＩＤを示す。また、
▲１▼Ｅ⇒Ｗ（ｗｅｓｔ）及び▲２▼Ｗ（ｗｅｓｔ）⇒Ｅ（ｅａｓｔ）
は、スケルチテーブルの転送方向を示している。
【０００６】
片方向で障害が発生した場合にスケルチテーブルが構築されないことを防止する為に、同一のスケルチテーブルを双方向に転送する必要がある。障害が発生していない時及び▲２▼の方向で障害が発生している時には▲１▼の方向に転送しているスケルチテーブルを使用するが、▲１▼の方向において障害が発生している時は、▲２▼の方向のスケルチテーブルを使用することになる。
【０００７】
今、ＢＬＳＲネットワークに対し、図２に示すような回線設定がされている場合のスケルチテーブルの構築例を以下に説明する。図２に示すＢＬＳＲネットワークは、それぞれ、ノードＩＤが、１，２，３である３つのノードが上記の▲１▼の方向及び▲２▼の方向に向かう伝送路でリング状に接続されている。
【０００８】
ノードＩＤ＝２のノードにおいて、チャネル（ｃｈ）１では、Ｅ（ｅａｓｔ）側から入力される信号はノードＩＤ＝１のノードから挿入（ａｄｄ）され、ノードＩＤ＝２のノードで分岐（Ｄｒｏｐ）されている。このとき、送信元ノード（Ｓｏｕｒｃｅ  Ｎｏｄｅ）ＩＤは“１”、送信先ノード（Ｄｅｓｔｉｎａｔｉｏｎ  Ｎｏｄｅ）ＩＤは“２”となる。
【０００９】
更に、図１のスケルチテーブルにおけるＳ１には“１”，Ｄ１には“２”が格納される。Ｅ側から出力される信号はノードＩＤ＝２のノードから挿入（Ａｄｄ）され当該ノードで分岐（Ｄｒｏｐ）される為に、Ｓ２には”２”，Ｄ２には”１”が格納される。
【００１０】
同様にＷ側から出力される信号はノードＩＤ＝２のノードから挿入（Ａｄｄ）され、ノードＩＤ＝３のノードで分岐（Ｄｒｏｐ）されている為にＳ３には”２”，Ｄ３には”３”が格納される。更に、Ｗ側から入力される信号はノードＩＤ＝３のノードから挿入（Ａｄｄ）され、ノードＩＤ＝２のノードで分岐（Ｄｒｏｐ）されている為にＳ４には”３”，Ｄ４には”２”が格納される。従って、ノードＩＤ＝２のノードのチャネル（ｃｈ）１におけるスケルチテーブルは、図３に示すようになる。
【００１１】
以上に示したように、スケルチテーブルを用いた従来のＢＬＳＲネットワークでは、図１に示すテーブルを各チャンネル単位で持つことが必要となる。
【００１２】
ネットワーク内で回線断等の障害が発生したとき、各ノードはこのスケルチテーブルに基づいて、各回線が送信先ノード（Ｄｅｓｔｉｎａｔｉｏｎ  Ｎｏｄｅ）に到達できるかを判断し、到達しえないと判断した場合にはその回線をスケルチする。
【００１３】
ここでＶＴレベルの回線をスケルチするために、ＶＴレベルの回線をＳＴＳレベルにバンドル（束接続）し、ＳＴＳスケルチテーブルを使用することにより実現しようとするとユーザーに対して不要なサービス断という状況を与えてしまうことになる。
【００１４】
即ち、例として図４に示す４つのノードを繋ぐＢＬＳＲネットワークを想定し、図４Ａに示す正常状態から、図４に示すようノードＩＤ２と３のノード間及び、ノードＩＤ＝３とＩＤ＝４のノード（以降単に、ノードＩＤ３，ＩＤ４等という）間が障害により不通となる場合を考える。
【００１５】
図４Ａの正常状態において、ＶＴ回線Ａ及びＢがノードＩＤ４から挿入され、チャネル（ｃｈ）１のＳＴＳ回線にマッピングされ、送られる。そして、ＶＴ回線Ａは、ノードＩＤ３で分岐される。ＶＴ回線Ｂは、ノードＩＤ３を通過し、ノードＩＤ２で分岐される。
【００１６】
更に、ノードＩＤ３でＶＴ回線Ｃが挿入され、ＳＴＳ回線のチャネル（ｃｈ）１−２にマッピングされる。そして、ノードＩＤ２を経由して、ノードＩＤ１で分岐される。
【００１７】
かかる正常状態の構成に対し、ノードＩＤ３の両側が不通となった場合、図４Ｂに示すように、ノードＩＤ４において、ＶＴ回線Ａ，Ｂは、ＳＴＳ回線１（チャネルＣｈ１）からチャネル（ｃｈ）２５にブリッジされる（▲１▼）。
【００１８】
更に、ノードＩＤ２において、チャネル（ｃｈ）２５がチャネル（ｃｈ）１に切り替えられる（▲２▼）。これによりＶＴ回線Ａが、ノードＩＤ１で分岐され、誤接続となる。従って、ＶＴ回線Ａが誤接続となるので、これを検知して、ＳＴＳ回線（Ｃｈ１）をスケルチ処理する。
【００１９】
このとき、ノードＩＤ１において、ＶＴ回線Ａの誤接続に対し、ＡＩＳ挿入される。しかし、ＶＴ回線Ｂについては、本来救済されるべきであるが、ノードＩＤ２において、ＳＴＳ回線１（チャネルＣｈ１）のスケルチ処理（▲３▼）により、救済されずにＡＩＳ挿入される（▲４▼）。
【００２０】
すなわち、障害回避できるはずのＶＴ回線Ｂまでもスケルチされてしまい、ユーザーに対して不要なサービス断という状況を与えてしまうことになる。
【００２１】
そのため同一のＳＴＳ回線のバンドル内に存在するＶＴレベルの回線の送信元ノード（Ｓｏｕｒｃｅ  Ｎｏｄｅ）及び送信先ノード（Ｄｅｓｔｉｎａｔｉｏｎ  Ｎｏｄｅ）の設定は全て同一である必要があり、その中継ノードではＶＴレベルへの挿入／分岐（Ａｄｄ／Ｄｒｏｐ）は許されない。
【００２２】
これを避けるためにＶＴレベルのスケルチテーブルを新たに構築し、ＶＴレベルとＳＴＳレベルの回線処理をそれぞれ別に行う手法が提案されている（特許文献１参照）。
【００２３】
しかし、高次群側の伝送レートが変わらないとすると、一本のＳＴＳ回線中にＶＴ１．５回線は２８本存在するので、最大で現在の２８倍のスケルチテーブルデータ（各回線に２バイト必要）を構築・収容・処理する必要がある。
【００２４】
１０ＧｂｐｓのＢＬＳＲをサポートしている装置  の場合は５３７６本、４０Ｇｂｐｓの装置では２１５０４本のＶＴ１．５回線を処理しなければならない。
【００２５】
【特許文献１】
特開２００１−１８６１５９号公報
【００２６】
【発明が解決しようとする課題】
そのため、ハードウェアへのメモリ規模の拡大とソフトウェアの処理能力向上および、ソフトウエア開発及び評価にかかる膨大な工数が要求されることになる。また、スケルチ処理をソフトウェアにより行う場合は、処理が一つのノードに集中すると負荷が大きくなり性能上に問題が発生する恐れもある。
【００２７】
したがって、本発明の目的は、スケルチテーブルを用いることなく多重障害発生時の誤回線接続を防止でき、またＶＴ回線を自由に設定した場合でもスケルチ処理することを可能とする双方向線路切替えリング（ＢＬＳＲ：Ｂｉｄｉｒｅｃｔｉｏｎａｌ  Ｌｉｎｅ  Ｓｗｉｃｈｅｄ  Ｒｉｎｇ）ネットワークを提供することにある。
【００２８】
【課題を解決するための手段】
上記の課題を解決する本発明に従う双方向線路切替えリングの第１の態様は、複数の光伝送装置をリング状に接続して構成される双方向線路切替えリングネットワークにおいて、送信側ノードにある光伝送装置は、各低次群回線に送信側ノードＩＤを付して送信し、受信側ノードにある光伝送装置は、予め設定されている送信側ノードＩＤの期待値と受信された送信側ノードＩＤを照合し、不一致の場合はアラーム指示信号を挿  入して、障害発生時の誤接続を防止することを特徴とする。
【００２９】
上記の課題を解決する本発明に従う双方向線路切替えリングの第２の態様は、第１の態様において、前記送信側ノードＩＤは、Ｖ３バイトを使用して送信されることを特徴とする。
【００３０】
上記の課題を解決する本発明に従う双方向線路切替えリングの第３の態様は、第２の態様において、前記Ｖ３バイトへの送信側ノードＩＤの挿入、期待値との照合及び、スケルチ機能を設定により無効化可能とする。
【００３１】
上記の課題を解決する本発明に従う双方向線路切替えリングの第４の態様は、第２の態様において、前記Ｖ３バイトを３フレーム分使用して、各ＶＴ回線に送信側ノードＩＤと、回線ＩＤを付加し、通過局におけるＶＴ回線のタイムスロット置き換え（ＴＳＩ）を可能とする。
【００３２】
上記の課題を解決する本発明に従う双方向線路切替えリングの第５の態様は、第４の態様において、Ｈ４バイトの１〜６ビットをフラグとして使用することにより、通過局でタイムスロット置き換え（ＴＳＩ）を可能とする。
【００３３】
上記の課題を解決する本発明に従う双方向線路切替えリングの第６の態様は、第２の態様において、前記送信側ノードＩＤは、Ｖ３バイトに代えて、Ｖ４バイトを使用して送信することを特徴とする。
【００３４】
上記の課題を解決する本発明に従う双方向線路切替えリングの第７の態様は、複数の光伝送装置をリング状に接続して構成される双方向線路切替えリングネットワークにおいて、送信側ノードにある光伝送装置は、各高次群回線に送信側ノードＩＤを付して送信し、受信側ノードにある光伝送装置は、予め設定されているの送信側ノードＩＤの期待値と照合し、受信された送信側ノードＩＤを比較し、不一致の場合はアラーム指示信号を挿入して、障害発生時の誤接続を防止することを特徴とする。
【００３５】
上記の課題を解決する本発明に従う双方向線路切替えリングの第８の態様は、第７の態様において、前記送信側ノードＩＤは、Ｈ３バイトを使用して送信されることを特徴とする。
【００３６】
上記の課題を解決する本発明に従う双方向線路切替えリングの第９の態様は、第８の態様において、前記Ｈ３バイトを３フレーム分使用して、各ＶＴ回線に送信側ノードＩＤと、回線ＩＤを付加し、通過局におけるＶＴ回線のタイムスロット置き換え（ＴＳＩ）を可能とする。
【００３７】
本発明の特徴は、以下に図面に従い説明される実施の形態例から更に明らかにになる。
【００３８】
【発明の実施の形態】
以下に本発明の実施の形態例を図面に従い説明する。
【００３９】
図５は、本発明に従う双方向線路切替えリングネットワークにおける障害時の切替え動作を説明する図である。図４に示す例と同様に、４つのノードを繋ぐＢＬＳＲネットワークを想定し、図５Ａに示す正常状態から、図５に示すようノードＩＤ２と３のノード間及び、ノードＩＤ３と４のノード間が障害により不通となる場合を考える。
【００４０】
図５Ａの正常状態において、図４Ａの例と同様に低次群回線である、ＶＴ回線Ａ，Ｂが高次群回線であるＳＴＳ回線１（Ｃｈ１）にマッピングされる。このとき、図４Ａの例と異なるのは、本発明に従い、送信元ノードＩＤが同時に送られることにある。
【００４１】
かかる正常状態の構成に対し、ノードＩＤ３の前後において不通となった場合、図５Ｂにおいて、ノードＩＤ４のノードにおいて、ＳＴＳ回線１（チャネルｃｈ１）は回線２５（チャネルｃｈ２５）にブリッジされる（▲１▼）。更に、ノードＩＤ２において、チャネルｃｈ２５がチャネルｃｈ１にスイッチされる（▲２▼）。
【００４２】
図５Ｂにおいては、ノードＩＤ１とＩＤ２において、各回線の送信元ノードＩＤ（ＳＩＤ）と期待値を比較する。これにより、不一致であるときにスケルチを実行する（▲３▼）。
【００４３】
図５Ｂの例において、ノードＩＤ１においては、ＳＩＤ（ＩＤ４）≠期待値（ＩＤ３）と一致しないために、誤接続を検知してＡＩＳを挿入する。一方、ノードＩＤ２においては、ＳＩＤは期待値（ＩＤ４）と一致するので、ＶＴ回線ＢはノードＩＤ２において救済される。
【００４４】
このように、本発明では、各ＶＴ回線にその回線の送信元ＩＤ（ＳＩＤ）情報を付加する。送信先ノードでは、受信したＳＩＤと回線設定時に自ノードに設定された期待値とを比較する。そして、不一致の場合にはその回線をスケルチする。
【００４５】
この方法を用いることにより、スケルチテーブルを用いることなく多重障害発生時の誤回線接続を防止できる。また、ＶＴ回線を自由に設定した場合でもスケルチ処理することが可能である。
【００４６】
図６は、各ＶＴ回線への送信元ノードＩＤの挿入を説明する図であり、各ＶＴレベルの回線がマッピングされるＶＴスーパーフレームのＶ３バイトを使用することにより実現できる。
【００４７】
即ち、図６において、図６Ａは、ＳＯＮＥＴのＶＴスーパーフレームを示す。図６Ｂは、図６ＡのＶＴスーパーフレームの各フレームをＳＴＳ−１（チャネル分の）ＳＰＥ（Ｓｙｎｃｈｒｏｎｏｕｓ  Ｐａｙｌｏａｄ  Ｅｎｖｅｌｏｐ：同期ペイロード領域）へのマッピングの様子を示す。
【００４８】
図６Ｃは、更に、ＳＴＳ−１ＳＰＥのＳＴＳ−１フレームへのマッピングを示す図である。ＳＴＳ−１フレームは、セクションオーバヘッド（ＳＯＨ）とラインオーバヘッド（ＬＯＨ）を有し、そのＨ１，Ｈ２バイトにより示されるポインタによりＳＴＳ−１フレームにおけるＳＴＳ−１ＳＰＥの先頭位置が特定される。
【００４９】
ここで、図６Ａに示すＶＴスーパーフレームにおけるＶ３バイトはＶ１、Ｖ２バイトの指示によりスタッフ、デスタッフを行うバイトである。ポジティブスタッフ動作時はスタッフバイトがＶ３バイトの直後に挿入される。
【００５０】
また、ネガティブスタッフ動作時はスタッフバイトがＶ３バイトに挿入される。従って、ポジティブスタッフ動作時およびスタッフ動作が無い場合、Ｖ３バイトは空きバイトとなる。またＧＲ−２５３  Ｉｓｓ．０３（Ｒ３−１１５）には、スタッフアクション動作後３フレーム間はスタッフアクション禁止であると規定されている。
【００５１】
これにより、たとえネガティブスタッフ動作が発生した場合にも、スタッフ禁止３フレーム間を使用して送信元ノードＩＤの情報を伝達することができる。
【００５２】
従って、本発明において、ネットワークを構成するノード間にどのような周波数偏差があってもＶ３バイトを、送信元ノードＩＤを格納するために使用することができる。
【００５３】
ネガティブスタッフ時以外のＶ３バイトのデータ形式を図７のように定義する。８ビット全てを送信元ノード（Ｓｏｕｒｃｅ  Ｎｏｄｅ）ＩＤを格納するために使用する。このようなデータ形式を採ることにより、従来は１つのＢＬＳＲを構成するノード数が１６個までであったのが、最大２５６個まで拡張できる。
【００５４】
さらに図６Ｂにおけるパスオーバヘッド（ＰＯＨ：Ｐａｔｈ  Ｏｖｅｒｈｅａｄ）のＨ４バイト（第７，８番目のビットによりＶ１〜Ｖ４を識別する）の第１〜６番目のビットをフラグとして使用する。これにより、ノード数をさらに拡張することが可能である。
【００５５】
また、Ｖ３バイトの替わりに、現在用途が未定義とされているＶ４バイトを使用しても同様の機能を付加できる。Ｖ４バイトを使用した場合はスタッフ動作を考慮する必要がないので処理が簡単化される。しかし、Ｖ３バイトを使用することにより、将来的にＶ４バイトを使用した新機能が追加された場合でも影響なく本機能を付加することができる。
［回路構成と動作］
図８は、本発明を適用する双方向線路切替えリング（ＢＬＳＲ）ネットワークのノードとなる光伝送装置の構成例ブロック図である。図８において、ＴＳＡ／ＴＳＩ処理回路１は、既存のＶＴフォーマット以外の部分に対する処理回路であり、本発明と関係しないので更なる説明は省略する。
【００５６】
Ｖ３バイト処理部１００が、本発明の実現のために追加された回路である。ここで、図６ＡのＶＴスーパーフレームがＮ個分ＳＴＳにマッピングされている場合、これをＳＴＳ−Ｎと表記する。したがって、上記のＶ３バイト処理部１００は、ＳＴＳにマッピングされているＶＴスーパーフレームの個数分備えられる。ＳＴＳ−Ｎの場合は、Ｎ個のＶ３バイト処理部１００が用意される。図８では、ＳＴＳ−１に対する１個のＶ３バイト処理部１００が代表的に示されている。
【００５７】
ＴＳＡ／ＴＳＩ処理回路１の入力側において、光伝送路から入力する光信号を光／電気変換器２により電気信号に変換する。電気信号に変換された、図６Ｃにより示したＳＴＳ−１フレームから、ＳＯＨ／ＬＯＨ処理回路３によりにセクションオーバヘッド（ＳＯＨ）及びラインオーバヘッド（ＬＯＨ）を抽出処理する。
【００５８】
ＳＯＨ／ＬＯＨ処理回路３の出力である、ＶＴスーパーフレーム（図６Ａ）がマッピングされたＳＰＥのＮ個分のそれぞれが、対応するＶ３バイト処理回路１００に入力する。
【００５９】
図８において、１個のＳＰＥに対する処理を以下に、説明する。前提として、各ノードにおいてＢＬＳＲを構成しているチャンネルへＶＴレベルの回線を設定する際には、その回線の送信元ノード（Ｓｏｕｒｃｅ  Ｎｏｄｅ）ＩＤを付加情報として指定することを義務づける。
【００６０】
このとき、回線設定された全ノードでは挿入・通過。分岐（Ａｄｄ／Ｔｈｒｏｕｇｈ／Ｄｒｏｐ）情報をＶ３バイト処理部１００にある条件設定レジスタ（ＰＲＯＶＩＳＩＯＮＩＮＧ  Ｒｅｇｉｓｔｅｒ）１０１に設定する。
【００６１】
分岐（Ｄｒｏｐ）ノードでは、それに加えて送信元ノード（Ｓｏｕｒｃｅ  Ｎｏｄｅ）ＩＤを期待値として条件設定レジスタ１０１に設定する。
【００６２】
図８において、ＰＯＨ抽出部６により、ＳＴＳ−ＳＰＥ（図６Ｂ参照）のフレーム信号からパスオーバヘッド（ＰＯＨ）を抽出し、ＶＴスーパーフレーム（図６Ａ参照）をＶ３バイト検出部１０５に入力する。一方、ＰＯＨ抽出部６により検出されるパスオーバヘッド（ＰＯＨ）中のＨ４バイトがＶ３バイト検出部１０５と、受信ポインタ処理部１０６に入力される。
【００６３】
Ｈ４バイトは、Ｖ１，Ｖ２，Ｖ３バイトのマッピング位置を指示するものである。したがって、Ｈ４バイトに基づき、Ｖ３バイト検出部１０５及び、受信ポインタ処理部１０６では、それぞれ、Ｖ３バイト、Ｖ１，Ｖ２バイトを検出することが可能である。
【００６４】
受信ポインタ処理部１０６は、更に図６Ｃに示すポインタ値を求め、これをクロック載替え部１０７により伝送路クロックから装置内クロックに置き換え、送信ポインタ処理部１０８に送る。送信ポインタ処理部１０８で、送信されたポインタ値を送信フレームにおける位置に対応したポインタ値に変換し、又、新たにポインタ値を挿入する処理を行う。
【００６５】
一方、Ｖ３バイト検出部１０５では、Ｈ４バイトに基づきＶ３バイトを検出し、これをＳＩＤ抽出処理部１０２に入力する。
【００６６】
ＳＩＤ抽出処理部１０２における処理は、ノードの機能によって処理が異なる。即ち、挿入（Ａｄｄ）設定されたノードでは、ＳＩＤ抽出処理部１０２においてＶ３バイトから送信元ノードＩＤ（ＳＩＤ）の抽出は行わず、Ｖ３挿入処理部１０３に自ノードＩＤ（送信元ノードＩＤとなる）を送る。従って、Ｖ３挿入処理部１０３において、自ノードＩＤをＶ３バイトに挿入する。このとき、スケルチ制御部１０４では処理を行わず、スケルチ処理部１０９におけるスケルチ処理は禁止される。
【００６７】
通過（Ｔｈｒｏｕｇｈ）設定されたノードでは、ＳＩＤ抽出処理部１０２において、受信したＶ３バイトより送信元ノードＩＤを抽出する（保護３段）。ここで、受信側ポインタ処理部１０６において、デクリメントを行った場合はＳＩＤ抽出処理部１０２は、受信送信元ノードＩＤとして前回の値を保持する。
【００６８】
また、Ｖ３挿入処理部１０３に対して抽出した送信元ノードＩＤを送信する。Ｖ３挿入処理部１０３は受信した送信元ノードＩＤをＶ３バイトに挿入する。ただし、送信ポインタ処理部１０９によりデクリメントを行った場合は、Ｖ３バイトにはネガティブスタッフ動作によりデータが格納されているため本動作を禁止する。スケルチ制御部１０４では処理を行わず、スケルチ処理部１０９でのスケルチ処理は禁止される。
【００６９】
分岐（Ｄｒｏｐ）設定されたノードでは、ＳＩＤ抽出処理部１０２において、受信Ｖ３バイトより送信元ノードＩＤを抽出する（保護３段）。ここで、受信側ポインタ処理部１０６においてデクリメントを行った場合は、受信した送信元ノードＩＤとして前回の値を保持する。
【００７０】
Ｖ３挿入処理部１０３にはＡｌｌ  ”０”を送信する。また、スケルチ制御部１０４に対しては、抽出した送信元ノードを送信する。従って、Ｖ３挿入処理部１０３は、Ｖ３バイトにＡｌｌ  ”０”を挿入する。ただし、送信ポインタ処理部１０８において、デクリメントを行った場合は、Ｖ３バイトにはネガティブスタッフ動作によりデータが格納されているため本動作を禁止する。
【００７１】
スケルチ制御処理部１０４では、受信した送信元ノードと条件設定レジスタ１０１に保持しているその回線の期待値とを照合する。照合の結果、不一致であった場合にはその回線をスケルチする。
【００７２】
上記のように、設定により追加したＶ３バイト処理部１００において追加された処理部機能を無効化することで、従来のＢＬＳＲネットワークにも影響なく適合可能である。
【００７３】
また、Ｖ４バイトを使用した場合の回路構成を図９に示す。回路動作はＶ３バイトを用いた図８に示す構成とほぼ同じである。異なるのは、Ｖ３バイト検出部１０５に代え、Ｖ４バイト検出部１１０を設けている点である。Ｖ４バイト検出部１１０は、Ｈ４バイトにより特定されるＳＰＥのマッピング位置からＶ４バイトを抽出する。この実施例では、Ｖ４バイトにはスタッフ動作がないためネガティブスタッフ動作時の処理を省くことができる。
【００７４】
本発明では、前述のように各ノードに単純なハードウェアを追加することにより、スケルチテーブルを用いることなく、単純な手順のみでスケルチ判断・処理が可能となる。
【００７５】
これにより、ＶＴレベルの回線とＳＴＳレベルの回線が混在したＢＬＳＲネットワークにおいて自由にＶＴ回線を設定した場合にも、多重障害による切替え動作時に回線が誤接続することを防止することが可能となる。
【００７６】
また、ＶＴレベルの回線についてのスケルチテーブル構築に伴うメモリ規模の大型化の必要性がなくなる。さらに、従来は切替え発生に伴うスケルチ判断・処理をソフトウェアで行っていたために、一つのノードに処理が集中すると負荷が大きくなり動作不良が懸念されたが、ハードウェアにて直接処理できるので負荷が軽減され、動作速度も速くなり信頼性も向上する。
【００７７】
以下に本発明を適用する実施例を説明する。
ＢＬＳＲネットワークを構成している通過（Ｔｒｏｕｇｈ）ノードでのタイムスロット入れ替え処理（ＴＳＩ：Ｔｉｍｅ  Ｓｌｏｔ  Ｉｎｔｅｒｃｈａｎｇｅ）：
Ｖ３バイトを３フレーム分使用して、ＢＬＳＲネットワークの各回線に送信元ノードＩＤとともに、チャンネルＩＤも付加する。これによって、従来のＢＬＳＲネットワーク対応装置では禁止されている通過局におけるＶＴ回線のＴＳＩが可能となり、回線の使用効率を向上することが出来る。
【００７８】
図１０は、挿入（Ａｄｄ）局より送信元ノードＩＤのみを送信した時に通過局でＴＳＩを行う場合の実施例である。今、図１０Ａに示すように、ノードＩＤ４から挿入（Ａｄｄ）されたチャネルＣＨ１は、ノードＩＤ３において、チャネルＣＨ２にＴＳＩされ、ノードＩＤ２のチャネルＣＨ２で分岐（Ｄｒｏｐ）されている。同様に、ノードＩＤ４から挿入（Ａｄｄ）されたチャネルＣＨ２は、ノードＩＤ３においてチャネルＣＨ１にＴＳＩされ、ノードＩＤ２のチャネルＣＨ１で分岐（Ｄｒｏｐ）されている。
【００７９】
この際、ノードＩＤ２において、チャネルＣＨ１及びＣＨ２の送信元ノードＩＤ期待値は共に“４”である。このようなネットワーク構成において、図１０Ｂに示すように、ノードＩＤ３の両側で障害が発生した場合を考える。
【００８０】
図１０Ｂにおいて、ノードＩＤ４から挿入（Ａｄｄ）されたチャネルＣＨ１及びＣＨ２はＢＬＳＲの救済によりノードＩＤ１経由でノードＩＤ２に到達することが出来る。しかしノードＩＤ３を経由することができない為、ＴＳＩは行われずチャネルＣＨ１はノードＩＤ２のチャネルＣＨ１、チャネルＣＨ２はノードＩＤ２のチャネルＣＨ２に分岐される。従って、回線の誤接続が発生する。
【００８１】
しかし、送信元ノードＩＤ期待値と実際に送られてくる送信元ノードＩＤが一致している為にスケルチは発生せず、ＡＩＳを挿入することが出来ない。
【００８２】
このような回線の誤接続が発生する為、送信元ノードのみの情報では通過局でのＴＳＩを行うことが出来ない。これは、従来のスケルチテーブルを持ったＢＬＳＲネットワーク対応装置においても同様である。
【００８３】
これに対し、図１１に示す構成では、挿入（Ａｄｄ）局より送信元ノードＩＤと併せてチャンネルＩＤを送信した場合に通過局でＶＴ回線の  ＴＳＩを行う実施例である。
【００８４】
ノードＩＤ４（Ａｄｄ局）ではチャネルＣＨ１及びＣＨ２のＶ３バイトに送信元ノードＩＤとして自ノードＩＤ、チャンネルＩＤとして自チャンネル番号を挿入する。ノードＩＤ２（Ｄｒｏｐ局）ではチャンネルＩＤ１及びＣＨ２に送信元ノードＩＤ期待値及びチャンネルＩＤ期待値を設定する。
【００８５】
このような構成で、図１０Ｂと同様の障害が発生した場合、ノードＩＤ２のチャンネルＣＨ１及びＣＨ２では送信元ノードＩＤは期待値と一致するが、チャンネルＩＤが一致しない。この場合は、スケルチが発生し結果として回線のミスコネクションを防ぐことが出来る。
【００８６】
このように、送信元ノードＩＤにチャンネルＩＤを付加することにより、従来のＢＬＳＲ構成では禁止されていた通過局におけるＶＴ回線のＴＳＩが可能となる。
【００８７】
図１２は、図１１の実施例に対応する、Ｖ３バイトに送信元ノードＩＤにチャンネルＩＤを付加して送信する際の転送フォーマットを示している。
【００８８】
Ｖ３バイトにおいて、フラグ（Ｆｌａｇ）ビット（１−２ビット目）は、転送されるＩＤ（３〜８ビット目）の種類を識別するものである。更に３ビット目は、Ｅ／Ｗの方向を示している。
【００８９】
“１１”の場合（図１２Ａ）は先に述べたように回線が挿入（Ａｄｄ）されている送信元ノードＩＤ（５〜８ビット目）及び、回線の方向（６ビット目）が転送されていることを示す。
【００９０】
“１０”の場合（図１２Ｂ）はチャンネルＩＤ（上位［Ｕｐｐｅｒ］部）、“０１”の場合（図１２Ｃ）はチャンネルＩＤ（下位［Ｌｏｗｅｒ］部）が転送されていることを示す。
【００９１】
チャンネルＩＤは上位部と下位部の全１２ビットで回線が挿入（Ａｄｄ）されているチャンネル番号を示しており、４０９６チャンネルまで対応が可能である。この様なＶ３バイトの３フレームを使用してこのフォーマットを繰り返し転送する。このように、フラグビットを使用することにより、転送されるＩＤの種類を判別することによって、チャンネルＩＤの送信が可能となる。
【００９２】
この図１２に示すフォーマットはＶ４バイトを使用して転送することも可能である。
【００９３】
以上のように、本発明では、フラグビットを使用してＶ３バイトにより転送されるＩＤの種類を識別し、送信元ノードＩＤ及びチャンネルＩＤを各回線に付加して転送することにより、分岐（Ｄｒｏｐ）されている回線が挿入ノードＩＤ及びチャンネルＩＤを認識することが可能となる。
【００９４】
これにより、従来のＢＬＳＲネットワーク対応装置では禁止されていた通過局でのＴＳＩが実現可能となる。これにより回線使用効率を向上することが出来る。
【００９５】
また、Ｈ４バイトの１〜６ビットをフラグビットとして使用することにより、チャンネルＩＤを拡張することが可能となる。そして、ＢＬＳＲネットワークの通過局においてＶＴ  ＴＳＩを行うことの出来るチャンネル数をさらに拡張することが出来る。
【００９６】
図１３にＨ４バイトをフラグビットとして使用した際の転送フォーマットを示す。図１３Ａに示すようにＨ４バイトの７，８ビット目は現在Ｖ１〜Ｖ４のどのバイトを転送しているかを示すように定義されているが、１−６ビットは未定義のビットである。
【００９７】
したがって、このＨ４バイトの１−６ビットを使用して、Ｖ３バイトにより転送されるＩＤの種類を識別することことが可能である。図１３Ｂ、図１３Ｃ及び図１３Ｄは、このＨ４バイトの１−６ビットにより示されるＶ３バイトの種類に対応する内容である。
【００９８】
図１３Ａは、１フレーム目に含まれるＶ３バイトの内容であり、１ビット目がＥ／Ｗの区別であり、２−８ビットが回線が挿入（Ａｄｄ）されるノードＩＤを示す。また、図１３Ｃ，図１４Ｄは、回線が挿入（Ａｄｄ）されるチャネルを示す。
【００９９】
回線が挿入（Ａｄｄ）されるチャネルの特定を、図１３Ｃ及び図１４Ｄに示すように２バイト（１６ビット）を用いることが可能となり、結果として６５５３６のＶＴチャンネル（装置容量としては１２０Ｇ以上）まで対応可能となる。
【０１００】
また、図１３Ａに示すようにフラグビットは６ビットまで使用可能である為、Ｖ３バイトで転送するフォーマットの種類をさらに増やすことが可能である。即ち、転送するチャネルＩＤ及び送信元ノードＩＤを更に増やすことが可能である。
【０１０１】
本発明により、将来の大容量装置においてもＢＬＳＲネットワーク構成における通過局でのＶＴ  ＴＳＩの実現が可能となる。
【０１０２】
分岐局において、送信元ノードＩＤの期待値を２ノード分設定可能とすることにより、図８に示した実施例と同様の回路構成を用いて分岐・通過（Ｄｒｏｐ  ａｎｄ  Ｃｏｎｔｉｎｕｅ）同時設定が可能となる。
【０１０３】
図１４は、ノードＩＤ１〜ＩＤ５からなるＢＬＳＲ＃１とノードＩＤ６〜ＩＤ１０からなるＢＬＳＲ＃２の２つのネットワークを経由する回線について、２つのネットワーク間をつなぐＶＴ回線における障害を救済する構成を示す実施例である。
【０１０４】
更に図１４は、ＶＴ回線を現用（Ｗｏｒｋ）側Ｉと予備（Ｐｒｏｔｅｃｔｉｏｎ）側ＩＩの冗長構成とした場合の実施例である。ノードＩＤ３では、現用（Ｗｏｒｋ）側Ｉに分岐する回線とノードＩＤ４へ通過（Ｃｏｎｔｉｎｕｅ）する回線を同時に設定している。
【０１０５】
このときの各ノードにおけるＶＴ回線の処理動作は次のとおりである。
【０１０６】
ノードＩＤ１、６（Ａｄｄ局）において、ＶＴ回線Ａを高次群側のＳＴＳチャンネルに挿入（Ａｄｄ）する。その際、自ノードＩＤを送信元ノードＩＤとして、その回線のＶ３バイトに挿入する。
【０１０７】
ノードＩＤ２、８（Ｃｏｎｔｉｎｕｅ  局）において、ＶＴ回線を通過（Ｃｏｎｔｉｎｕｅ）する。その際、当該回線のＶ３バイトにより受信した送信元ノードＩＤを、そのまま送信Ｖ３バイトに挿入する。
【０１０８】
ノードＩＤ３では、現用（Ｗｏｒｋ）側Ｉに分岐（Ｄｒｏｐ）する回線とノードＩＤ４へ通過（Ｔｈｒｏｕｇｈ）する回線の処理を行う。分岐（Ｄｒｏｐ）する回線に対しては、受信したその回線の送信元ノードＩＤと期待値を照合し、不一致の場合はスケルチする。
【０１０９】
図１４の例では、一致しているのでスケルチしていない。また、ノードＩＤ４へ通過（Ｃｏｎｔｉｎｕｅ）する回線に対しては、通過（Ｃｏｎｔｉｎｕｅ）局における処理と同様である。
【０１１０】
ノード４（Ｄｒｏｐ局）では、ＶＴ回線を分岐（Ｄｒｏｐ）する。受信したその回線の送信元ノードＩＤと期待値を照合し、不一致の場合はスケルチする。
【０１１１】
ノード７では、障害等の状況により、現用（Ｗｏｒｋ）側Ｉより挿入（Ａｄｄ）される回線とノードＩＤ６から通過（Ｃｏｎｔｉｎｕｅ）される回線について選択・切替えを行う。
【０１１２】
ノードＩＤ９（Ｄｒｏｐ局）では、送信元ノードＩＤの期待値との照合およびスケルチ処理を行う。しかし、ノードＩＤ７において、現用（Ｗｏｒｋ）側Ｉと予備（Ｐｒｏｔｅｃｔｉｏｎ）側ＩＩのどちらが選択されるかは状況次第であるので、期待値としてノードＩＤ６とノードＩＤ７の２つのＩＤを設定しておく必要がある。
【０１１３】
受信した送信元ノードＩＤがこの２つの期待値のどちらとも不一致のとき、当該回線をスケルチする。
【０１１４】
以上のように、本発明の実施例では、分岐（Ｄｒｏｐ）局において送信元ノードＩＤを２つのノード分設定可能とすることにより分岐・通過同時設定（Ｄｒｏｐ  ａｎｄ  Ｃｏｎｔｉｎｕｅ）の実現が可能となる。
【０１１５】
また本発明の原理は、Ｖ３バイトの替わりにＨ３バイトを使用しても同様に実現できる。ここで、Ｖ３バイトの替わりにＨ３バイトを使用してスケルチテーブルを必要としないＳＴＳ回線即ち、高次群回線のＢＬＳＲネットワーク構成を実現することが出来る。
【０１１６】
Ｖ３バイトの替わりにＨ３バイトを使用し、ＳＴＳ回線の送信元ノードＩＤを挿入することによって、ＶＴ回線のＢＬＳＲの時と同様にＳＴＳ回線のＢＬＳＲネットワーク構成においてもスケルチ処理を実現することができる。
【０１１７】
Ｈ３バイトはＨ１、Ｈ２バイトの指示によりスタッフ、デスタッフを行うバイトである。ポジティブスタッフ動作時はスタッフバイトがＨ３バイトの直後に挿入される。また、ネガティブスタッフ動作時はスタッフバイトがＨ３バイトに挿入される。
【０１１８】
よって、ポジティブスタッフ動作時およびスタッフ動作が無い場合、Ｈ３バイトは空きバイトとなる。またＧＲ−２５３  Ｉｓｓ．０３（Ｒ３−１０２）には、スタッフアクション動作後３フレーム間はスタッフアクション禁止であると規定しており、たとえネガティブスタッフ動作が発生した場合にも、スタッフ禁止３フレーム間を使用して送信元ノードＩＤ情報を伝達することができる。
【０１１９】
図１５は既存のＳＴＳポインタ処理部１０８にＨ３バイトの生成・処理・挿入部１１１を追加したものである。本回路の動作は図８、図９のＶ３バイト処理部１００と同様である。
【０１２０】
また、Ｈ３バイト３フレームを使用して送信側ノードＩＤ及びＳＴＳチャンネルＩＤを転送することにより、従来のＢＬＳＲネットワーク対応装置では禁止されていたスルー局でのＳＴＳ回線のＴＳＩが実現可能である。
【０１２１】
（付記１）
複数の光伝送装置をリング状に接続して構成される双方向線路切替えリングネットワークにおいて、
送信側ノードにある光伝送装置は、各低次群回線に送信側ノードＩＤを付して送信し、
受信側ノードにある光伝送装置は、予め設定されている送信側ノードＩＤの期待値と受信された送信側ノードＩＤを照合し、不一致の場合はアラーム指示信号を挿入して、障害発生時の誤接続を防止する
ことを特徴とする双方向線路切替えリングネットワーク。
【０１２２】
（付記２）付記１において、
前記送信側ノードＩＤは、Ｖ３バイトを使用して送信されることを特徴とする双方向線路切替えリングネットワーク。
【０１２３】
（付記３）付記２において、
前記Ｖ３バイトへの送信側ノードＩＤの挿入、期待値との照合及び、スケルチ機能を設定により無効化可能とする双方向線路切替えリングネットワーク。
【０１２４】
（付記４）付記２において、
前記Ｖ３バイトを３フレーム分使用して、各ＶＴ回線に送信側ノードＩＤと、回線ＩＤを付加し、通過局におけるＶＴ回線のタイムスロット置き換え（ＴＳ
Ｉ）を可能とする双方向線路切替えリングネットワーク。
【０１２５】
（付記５）付記４において、
Ｈ４バイトの１〜６ビットをフラグとして使用することにより、通過局でタイムスロット置き換え（ＴＳＩ）を可能とする双方向線路切替えリングネットワ
ーク。
【０１２６】
（付記６）付記２において、
前記送信側ノードＩＤは、Ｖ３バイトに代えて、Ｖ４バイトを使用して送信することを特徴とする双方向線路切替えリングネットワーク。
【０１２７】
（付記７）
複数の光伝送装置をリング状に接続して構成される双方向線路切替えリングネットワークにおいて、
送信側ノードにある光伝送装置は、各高次群回線に送信側ノードＩＤを付して送信し、
受信側ノードにある光伝送装置は、予め設定されているの送信側ノードＩＤの期待値と照合し、受信された送信側ノードＩＤを比較し、不一致の場合はアラーム指示信号を挿入して、障害発生時の誤接続を防止する
ことを特徴とする双方向線路切替えリングネットワーク。
【０１２８】
（付記８）付記７において、
前記送信側ノードＩＤは、Ｈ３バイトを使用して送信されることを特徴とする双方向線路切替えリングネットワーク。
【０１２９】
（付記９）付記８において、
前記Ｈ３バイトを３フレーム分使用して、各ＳＴＳ回線に送信側ノードＩＤと、回線ＩＤを付加し、通過局におけるＳＴＳ回線のタイムスロット置き換え（ＴＳＩ）を可能とすることを特徴とする双方向線路切替えリングネットワーク
。
【０１３０】
（付記１０）
それぞれ複数の光伝送装置をリング状に接続して構成され、現用及び予備用の低次群回線で接続された２つの双方向線路切替えリングネットワークを有し、
前記２つの双方向線路切替えリングネットワークのそれぞれの前記現用及び予備用の低次群回線に接続される２つのノードに関し、前記現用の低次群回線に接続されるノードから送出される送信元ＩＤの期待値として、自ノードの送信元ノードＩＤまたは、前記予備用の低次群回線に接続されるノードの送信元ノードＩＤとすることを特徴とする双方向線路切替えリングネットワーク。
【０１３１】
【発明の効果】
以上に説明したように、既存のハードウェアに単純な回路を追加するだけでＶＴ回線のＢＬＳＲネットワーク構成において、ＶＴ回線をＳＴＳ回線へバンドルすることなく自由に回線設定し、障害発生による誤回線接続を防止することが可能となる。また、ハードウェアにて直接処理することが可能になるので、処理による負荷が軽減され動作速度も速くなり信頼性も向上する。
【図面の簡単な説明】
【図１】スケルチテーブル（Ｓｑｕｅｌｃｈ  Ｔａｂｌｅ）の例を示す図である。
【図２】回線設定がされている場合のスケルチテーブルの構築例を示す図である。
【図３】ノードＩＤ＝２のノードのチャネル（ｃｈ）１におけるスケルチテーブル内容を示す図である。
【図４】４つのノードを繋ぐＢＬＳＲネットワークの構成例を示す図である。
【図５】本発明に従う双方向線路切替えリングネットワークにおける障害時の切替え動作を説明する図である。
【図６】各ＶＴ回線への送信元ノードＩＤの挿入を説明する図である。
【図７】ネガティブスタッフ時以外のＶ３バイトのデータ形式の定義を示す図である。
【図８】本発明を適用するノードの構成例ブロック図である。
【図９】Ｖ４バイトを使用した場合の回路構成を示す図である。
【図１０】挿入（Ａｄｄ）局より送信元ノードＩＤのみを送信した時に通過局でＴＳＩを行う場合の実施例である。
【図１１】挿入（Ａｄｄ）局より送信元ノードＩＤと併せてチャンネルＩＤを送信した場合に通過局でＶＴ回線の  ＴＳＩを行う実施例を示す図である。
【図１２】図１１の実施例に対応する、Ｖ３バイトに送信元ノードＩＤにチャンネルＩＤを付加して送信する際の転送フォーマットを示す図である。
【図１３】Ｈ４バイトをフラグビットとして使用した際の転送フォーマットを示す図である。
【図１４】２つのネットワーク間をつなぐＶＴ回線における障害を救済する構成を示す実施例である。
【図１５】既存のＳＴＳポインタ処理部１０８にＨ３バイトの生成・処理・挿入部１１１を追加した実施例構成である。
【符号の説明】
１        ＴＳＡ／ＴＳＩ処理回路
２        光／電気変換器
３        受信側ＳＯＨ／ＬＯＨ処理部
４        受信側ＳＯＨ／ＬＯＨ処理部
５        電気／光変換器
６        ＰＯＨ抽出部
７        ＰＯＨ挿入部
１００    Ｖ３バイト処理部
１０１    条件設定レジスタ
１０２    ＳＩＤ抽出処理部
１０３    Ｖ３挿入処理部
１０４    スケルチ制御部
１０５    Ｖ３検出部
１０６    クロック載替え部
１０７    受信ポインタ処理部
１０８    送信ポインタ処理部
１０９    スケルチ処理部
１１０    Ｖ４検出部
【図１】
2004282362.tif 000003
【図２】
2004282362.tif 000004
【図３】
2004282362.tif 000005
【図４】
2004282362.tif 000006
【図５】
2004282362.tif 000007
【図６】
2004282362.tif 000008
【図７】
2004282362.tif 000009
【図８】
2004282362.tif 000010
【図９】
2004282362.tif 000011
【図１０】
2004282362.tif 000012
【図１１】
2004282362.tif 000013
【図１２】
2004282362.tif 000014
【図１３】
2004282362.tif 000015
【図１４】
2004282362.tif 000016
【図１５】
2004282362.tif 000017